(57)【要約】【課題】蛍光灯の取替作業に用いる治具で、蛍光灯の掴み力や保持を適正に自動的に確保し、円滑に操作できるようにした。【解決手段】蛍光灯取替治具１０は、ポール２０の頂部に蛍光灯掴み機構３０を備え、横に張出し先端に可動爪５０を備えた腕４０を備え、ポール２０は複数の棒を抜き差し結合又は振り出し式とし、ポール２０と蛍光灯掴み機構３０は任意角度に折曲げ可能な結合部８０で結合し、掴み機構３０と可動爪５０を作動方向に付勢するばねを設け操作を容易にした。【選択図】　　　　図１
0003099066.tif 000002
【実用新案登録請求の範囲】
【請求項１】
蛍光灯の胴部を掴む掴み機構を頂端に備えた本体と、本体から横に張出し蛍光灯のソケットを着脱する可動爪を備えた腕と、ポールと、本体とポールとを結合する結合部材と、前記掴み機構及び可動爪を遠方操作する遠方操作機構とを備えた蛍光灯取替治具において、前記ポールを延長自在に形成すると共に前記結合部材は任意角度に固定する手段を備え、前記掴み機構及び可動爪は作動方向に付勢する付勢手段を備え、前記操作部は前記付勢手段に逆向きの作用を付与する手段としたことを特徴とする蛍光灯取替治具。
【請求項２】
前記延長自在なポールは抜き差し式又は振り出し式の結合部を備え、前記結合部材は任意角度に折り曲げ固定自在としたことを特徴とする請求項１記載の蛍光灯取替治具。
【考案の詳細な説明】
【０００１】
【考案の属する技術分野】
本考案は、蛍光灯取替治具に関する。さらに詳しくは、脚立等を用いることなく、床上から、あらゆる条件下に取り付けられている高所の蛍光灯を一人で容易に取り替えることができる蛍光灯取替治具に関する。
【０００２】
【従来の技術】
従来、天井などの高所の蛍光灯の取替えは、脚立を立てその上に乗って行う作業であった。脚立に登って行う作業は危険であり、安全上問題がある。また、オフィスなどの階段、エスカレータ等の斜路部等では、脚立を立てられない個所もある。また、脚立に登っても手の届かない場所もある。この場合、組立足場等を使用する必要があり、組立、解体等に手間を要し、経費も嵩む。
【０００３】
また、脚立を用いる作業では、脚立を押える人と脚立に乗って作業を行う人と２人作業となり、コスト高である。なお、高所恐怖症の人は脚立に乗って行う作業に従事することができないと言う問題もあった。
【０００４】
これに対して、ポールの一端に蛍光灯を保持する保持部材を設け、保持部材に接離する可動片を保持又は保持解除する操作部を手元に設け、一方、蛍光灯の接続ピンをソケットに挿脱させる操作部を具備した蛍光灯の着脱装置がある（例えば、特許文献１参照。）。この技術は、脚立を用いないで蛍光灯の取替ができ、すぐれた技術であるが、保持操作を手加減で行い、作業中手で保持するので、操作が円滑でないという欠点があった。
【０００５】
【特許文献１】
特開平１０−２５５７１７号公報（第２−４頁、図１）
【０００６】
【考案が解決しようとする課題】
本考案は上記技術に改善を加えることによって、蛍光灯の取り替え作業を脚立等を用いることなく行うことはもちろん、蛍光灯の掴み力や保持を適正に自動的に確保し、容易に、円滑に操作できるようにした蛍光灯取替治具を提供することを目的とするものである。
【０００７】
【課題を解決するための手段】
本考案は、上記課題を解決するために開発されたもので、蛍光灯の胴部を掴む掴み機構を頂端に備えた本体と、本体から横に張出し蛍光灯のソケットを着脱する可動爪を備えた腕と、ポールと、本体とポールとを結合する結合部材と、前記掴み機構及び可動爪を遠方操作する遠方操作機構とを備えた蛍光灯取替治具において、前記ポールを延長自在に形成すると共に、前記結合部材は任意角度に固定する手段を備え、前記掴み機構及び可動爪は作動方向に付勢する付勢手段を備え、前記操作部は前記付勢手段に逆向きの作用を付与する手段としたことを特徴とする蛍光灯取替治具である。
【０００８】
本考案は、上記従来技術を改良した技術で、脚立等を用いることなく、床上から治具を用いて蛍光灯を着脱することができることはもちろんであるが、最も特徴とする点は、
１．ポールを延長自在にしポールと本体とを任意の角度で折り曲げ自在に形成することによ　　って蛍光灯取付け位置の高さや場所の制約をなくし、
２．蛍光灯掴み機構の掴み力や保持力、可動爪の動作を手加減によることなく、最も適正に　　なるように予め設定すると共に、適切な保持力で自動的に保持するようにばねを用いて　　付勢し、
３．作業直前に、一時的にこの付勢を解除する簡単な動作によって、作業の安定性と容易性　　を格段に向上させた
ことにある。
【０００９】
また、前記ポールは複数の中空の棒から成り、棒の接合部に、抜き差し結合部又は振り出し結合部を備えたものとすると好ましい。抜き差し結合は同一径の端部内径に密に嵌挿するスリーブを介して結合部をつきあわせ結合する構造である。振り出し結合は釣り竿のように径の異なる中空棒を順次挿入しておき、順次繰り出して固定装置で固定する構造である。ポールは細長く、強靱で軽量な材質とすればよく、カーボンファイバー等のＦＲＰパイプ、アルミ合金等の金属パイプ等を使用することができる。
【００１０】
このポールと治具本体とは、任意の折り曲げ角度で固定することができる結合部材で連結する。これらの機構によって、本考案の蛍光灯取替治具は、蛍光灯の取付け高さ、位置その他の設置条件にかかわらず、容易に自在に使用することができる。
【００１１】
【考案の実施の形態】
本考案は、高所にある天井照明、壁面照明の取り替えを安全、且つ効率良く行うことができる蛍光灯取替治具である。
【００１２】
本考案は、伸縮自在なパイプ等からなるポールの先端に、蛍光灯掴み機構を配設した蛍光灯取替治具であって、下記機能を備える部分を有するものである。
【００１３】
（ａ）蛍光灯掴み機構
蛍光灯の胴部を掴む蛍光灯掴み機構を備える。この掴み機構は蛍光灯を挟む一双の開閉する湾曲板からなり、閉方向にばねで付勢されている。そして、この付勢力に対向して開方向に引っ張る操作部を備えている。蛍光灯掴み機構はピンを中心に回動する開閉機構、平行移動する開閉機構等を用いることができる。また、両開き式と片開き式のいずれでもよい。蛍光灯掴み機構の内側に、滑り止めゴムが貼るとよい。この滑り止めゴムには、生ゴム、シリコンゴム等の摩擦係数の大きな材料を使用すると好ましい。
【００１４】
蛍光灯掴み機構の開閉操作部は、例えば、操作者の手元まで延長した紐とする。この紐は、例えば上部ガイドブッシュよりポールの内部を通って下部ガイドブッシュより引き出すか、ポールに沿って外部に配設する。この紐を引くと蛍光灯掴み機構の付勢力に反して掴み機構が開放し、開いた所に蛍光灯を位置させ、紐を離すと、掴み機構は蛍光灯を適正な掴み力で掴み、確実に保持する。
【００１５】
上記開閉操作用の紐は、ワイヤー、鎖、番線、もしくは棒状のものでもよく、金属、合成樹脂、天然繊維等を用いることができる。
【００１６】
（ｂ）蛍光灯のソケット着脱のために移動する可動爪を備えた腕は、蛍光灯掴み機構が蛍光灯を掴んだままソケットを横移動させソケットから蛍光灯を外す作用をする。蛍光灯掴み機構の左右両側に設けてもよく、片側のみに設けてもよい。この腕には、可動爪を付勢する付勢手段が設けられている。腕の先端近傍にはには、ペンライトを取付け、ソケット部分を照明する。
【００１７】
（ｃ）伸縮自在なポール
ポールは、蛍光灯の高さに応じて伸縮可能である。伸縮機構には、抜き差し式と振り出し式とがある。抜き差し結合はポールの端部内径に密に嵌挿するスリーブを差し込み、ピンロック式で固定する。着脱自在である。振り出し式は釣竿のように径の異なる中空棒を順次中空内に挿入しておき、順次繰り出して任意長さ位置で締め付け固定装置で固定する構造である。ポールは強靱で軽量な材質とし、例えば、外径２８ｍｍφで、長さ最大１２ｍ程度まで１人の人力で操作可能である。
【００１８】
（ｄ）結合部材
蛍光灯掴み機構を備えた本体とポールとを結合する結合部材は、本体とポールにそれぞれ嵌合接合する嵌合部材をヒンジ結合し、２つの嵌合部材が相互に任意の折れ曲がり角度になるように、ヒンジ部を回動して調整し蝶ねじ等で固定することができる。
【００１９】
【実施例】
（実施例１）
図１〜図６に本考案の実施例の蛍光灯取替治具を示した。図１は実施例の全体正面図、図２はその側面図、図３、４は異なる種類のポールを示す側面図、図５は可動爪の正面図、図６は操作紐の配設の態様を示す説明図である。
【００２０】
蛍光灯取替治具１０は、ポール２０と、蛍光灯掴み機構３０と、腕４０と、腕４０の端部に取り付けられた可動爪５０と、操作部とから構成されている。
【００２１】
蛍光灯掴み機構３０は、図２に示すように、一双の湾曲板３１、３２の上端を開閉する。この開閉手段には、一方、固定他方開閉方式と、両方開閉の方式がある。湾曲板３１、３２の内側には、図２に示すように、滑り止めゴム３８を貼り付ける。その材料は、摩擦係数の大きい生ゴム、シリコンゴム等を使用する。
【００２２】
図２に示すように、この実施例では、一双の湾曲板３１、３２は固定湾曲板３１と可動湾曲板３２とからなり、可動湾曲板３２には、操作ロッド３３及び可動湾曲板３２を閉方向に付勢するばね３４をポール２０と操作ロッド３３との間に介装している。ばね３４は、板ばね、つる巻ばね、コイルばねなどを用いればよく、蛍光灯掴み機構が適切な掴み力で蛍光灯を掴んで保持するばね定数及びストロークを持つように選定される。
【００２３】
操作ロッド３３は、本体の基部３９と角度３５をなして下方に伸張し、その下端３６に操作紐６５の上端を結合している。操作紐６５を引くことにより蛍光灯掴み機構３０の湾曲板３１、３２が開き、離すと閉じる。操作ロッド３３の長さ及び角度３５は、操作紐６５を適切な操作力で作業者が引っ張ったとき適正に作動するように、ばね３４の特性とも合わせて決定する。操作紐６５は操作ロッド３３の下端にほぼ直角な角度３７をなしてポール２０のガイド孔２４を通ってポール２０内に入り、ガイド孔２５を通ってポール２０の下端部２６から外部に出て、作業者の手元に操作部６６、端部６７を形成している。
【００２４】
図３に示す実施例では、ポール２０は複数の異径のパイプ２１ａ、２１ｂ、２１ｃ、…を順次中空部内に収納し、必要に応じて引出して延長する振り出し形式のポール２０を示している。各パイプ２１ａ、２１ｂ、２１ｃ、…等は任意長さ引き出した位置で固定する固定具２２を備えている。図４に示す実施例では、ポール２０は同一径のパイプ２１ａ、２１ｂ、２１ｃ、…を用い、継手部に別体のスリーブ２３を挿入して結合する抜き差し形式のポール２０を示している。スリーブ２３には、周面に突出するように付勢された丸頭のボタンが設けられ、このボタンがパイププ２１ａ、２１ｂ、２１ｃ、…内の溝に沿って摺動し、溝端で窪みに係合し、固定する。パイププ２１ａ、２１ｂ、２１ｃ、…に抜き出し力を加えると、突出ボタンが引っ込み、スリーブ２３をパイププ２１ａ、２１ｂ、２１ｃ、…から抜き出すことができ、単位長さのパイププ２１ａ、２１ｂ、２１ｃ、…に分れる。
【００２５】
蛍光灯掴み機構３０の基部３９とポール２０との接続部は、結合部材８０で結合される。結合部材８０は、本体３０の基部３９と嵌合する嵌合部材８１、ポール２０の先端と嵌合する嵌合部材８２を備え、２つの嵌合部材８１、８２を連結する連結部８３を備えている。この連結部８３は蝶ねじ８４等によって、２つの嵌合部材８１、８２を任意の角度でしっかりと連結する。
【００２６】
ポールの長さ調整と、この結合部材８０の調整によって本考案の蛍光灯取替治具は、どのような位置にある蛍光灯でも容易に取外すことができる。
【００２７】
次に、蛍光灯のソケットを着脱する可動爪５０を備えた腕４０について説明する。
【００２８】
図１に示すように、腕４０が取り付けられた連結材４１が本体３０の基部３９に外嵌されている。腕４０は本体３０の基部３９から直角に側方に張出し、補強ステー４２に支持されて取り付けられている。腕４０の先端部４３には、可動爪５０のガイド部５１が挿入されている。腕４０内にコイルばね等のばね４４が組込まれており、このばね４４はガイド部５１を介して可動爪５０を先方に押すように付勢している。
【００２９】
可動爪５０のガイド部５１の尾端５２に操作紐６１が結合されている。操作紐６１は腕４０内を通ってガイド孔６８から外部に露出し、ポール２０のガイド孔２４からポール２０内に入り、ポール２０の下部のガイド孔２５から出て操作部６２、６３に至っている。操作紐６１を引くと、ばね４４の付勢力に対抗してガイド部５１が引き戻され、可動爪５０はソケットから離れた位置に位置し、操作紐６１を離すと可動爪５０がばね４４の付勢力によりソケットを押し、蛍光灯がソケットから抜ける。可動爪５０は、矢印５４で示すように、前進後退方向に動き、前進したときソケットを押圧して、ソケットを蛍光灯から外す。
【００３０】
蛍光灯掴み機構３０の首元３０ａは首まわりに回動可能に緩やかに結合されており、蛍光灯掴み機構３０のが蛍光灯を掴むとき腕４０と平行に蛍光灯を掴むように自動的に心合わせされるようになっている。
【００３１】
本考案では、蛍光灯取替直前に、蛍光灯掴み機構３０の操作紐６５及び可動爪５０の操作紐６１を牽引して蛍光灯掴み機構３０を蛍光灯に接触させ、次いで操作紐６５、６１の順で離すと、自動的に適切な力で蛍光灯の掴み保持及びソケットの引き抜き操作が完了し、そのまま蛍光灯を取り外すことができる。蛍光灯取付け時は逆手順によって容易に取付けをすることができる。
【００３２】
また蛍光灯の取付けソケットの穴を見やすくするために、これを照らすペンライト５８を取付けている。
【００３３】
なお、図１は、可動爪５０を備えた腕４０が蛍光灯掴み機構３０の片側にのみ設けられているが、左右両側に設けることもできる。
【００３４】
図５は、可動爪５０の正面図である。可動爪５０の頂部には、蛍光灯が挿入可能な幅と深さの溝を持ちソケットの縁部を押すＵ字形のフォーク５２を備え、下端にはガイド部５１との結合部５３を備えている。
【００３５】
図６は、操作紐６１又は６５をポール２０の外部に沿わせて配置する場合の引き留め部材２８を示すものである。引き留め部材２８は、スリーブ２７に取り付けられている。スリーブ２７は、ポール２０の外径に遊嵌し任意の位置に固定することができる。
【００３６】
（実施例２）
図７に別の実施例を示した。この実施例の蛍光灯掴み機構３０は、実施例１と同様である。ソケット着脱機構が異なる。
【００３７】
本体に連結材４１が取り付けられている。この連結材４１から、本体支持部に直角に腕４０が張出している。腕４０は、補強ステー４２に支持されている。腕４０の先端側には、可動爪５０のガイド部５１が挿入されている。腕４０の上方に、Ｖ字状に折れ曲がった２本のリンク４５が取り付けられこのＶ字の交点がピン４６で結合されており、２本のリンク４５はこのピン４６が矢印４８で示すように上下動すると、２本のリンク４５の水平長さが変化する。２本のリンク４５の他端４９は、蛍光灯掴み機構の本体３０と可動爪５０にそれぞれピン結合されている。交点のピン４６には、ばね４７が装着されている。ばね４７は２本のリンクを押上げて、可動爪５０が作動する方向に付勢する。
【００３８】
操作紐６１は、上記リンク４５の交点のピン４６を付勢方向に反する方向（引下げる方向）に引っ張ることができる。操作紐６１はこのピン４６に連結した部分から腕４０内を通り、ガイド孔６８を経てポール２０内を通りポール２０の下部に到達し、操作部６２となっている。
【００３９】
ばね４７の付勢力に対して操作紐６１を引くとピン４６が下方に移動し、リンク４５がＶ字に折れ曲るので、可動爪５０は、ソケットを押圧する位置から後退し、操作紐６１を離すと可動爪５０が適切な押圧力でソケットを押し、蛍光灯がソケットから抜ける。
【００４０】
その他のペンライト５８を装着することや、腕４０を蛍光灯掴み機構３０の両側に設けることができることなどは実施例１と同様である。
【００４１】
（実施例３）
図８はさらに別の実施例を示すものである。実施例１、２と異なる点は、可動爪５０を備えた腕４０の形式及び機構である。
【００４２】
この実施例では、ばね７３によって付勢された斜めの回動部材７１を取付け、その先端側に取り付けた腕４０が、直角に横に張出し、補強ステー４２に支持されて取り付けられている。腕４０の先端側には、可動爪５０が取り付けられている。回動部材７１は、固定部材７２に対してピン回りに矢印７４に示すように回動する。この回動部材７１に、腕４０が取り付けられ、腕４０が先方に押され、可動爪５０を先方に押すようにばね７３によって付勢されている。ばね７３は渦巻ばね、コイルばね、板ばねなどを用いる。可動爪５０は図５に示したものと同様である。
【００４３】
回動部材７１の先端から操作紐６１がポール２０の下部の操作部６２まで配設されている。操作部６２で操作紐６１を引くと可動爪５０はソケットから離れ、操作紐６１を離すと可動爪５０がソケットを押し蛍光灯がソケットから抜ける。
【００４４】
補強ステー４２の先端スリーブ７５は腕４０に外嵌しており、腕４０はスリーブ７５に支持されたまま長手方向に摺動移動可能に構成されている。
【００４５】
その他のペンライト５８を装着することや、腕４０を蛍光灯掴み機構３０の左右両側に設けることができることなどは実施例１、２と同様である。
【００４６】
【考案の効果】
本考案によれば、蛍光灯の取替え時、脚立や組立足場を使用することなく、床上に立って蛍光灯取替のすべての作業を円滑に行うことができ、安全である。そして、ポールを自由に延長することができ、ポールと蛍光灯掴み機構との結合部を任意の角度に折り曲げたりすることができるようにしたので、蛍光灯のあらゆる取付位置に対応して使用することができ、治具の搬送組立等が簡単である。また、蛍光灯掴み機構や可動爪を、適切なばね力で自動的に作動させ、適切に保持させることができるから、非力な女性でも容易に操作することができる。また、作業者の身長分を含め約１０ｍの高さまで使用することができる。
【００４７】
さらに、机、キャビネット等が邪魔となって脚立が立てられないオフィスの天井とか、段差があり危険な階段の天井とか、機械や制御盤等があるため作業困難な条件の機械室の天井など、あらゆる箇所の蛍光灯取替を一人で容易にできるようになったので、コスト削減効果が顕著である。
【００４８】
なお、高所恐怖症の人でも安心して作業に従事することができ、重くて長い脚立や組立櫓の運搬組立等も不要となるので、力作業も緩和され、作業に従事できる人の範囲が拡大された。
【図面の簡単な説明】
【図１】実施例の蛍光灯取替治具の正面図である。
【図２】図１の側面図である。
【図３】実施例の側面図である。
【図４】実施例の側面図である。
【図５】可動爪の正面図である。
【図６】操作紐の配置説明図である。
【図７】別の実施例の正面図であるである。
【図８】別の実施例の正面図であるである。
【符号の説明】
１０　　蛍光灯取替治具
２０　　ポール
２１　　パイプ
２２　　固定具
２３　　スリーブ
２４、２５　　ガイド孔
２６　　下端部
２７　　スリーブ
２８　　引き留め部材
３０　　蛍光灯掴み機構（本体）
３１、３２　　湾曲板
３３　　操作ロッド
３４　　ばね
３５　　角度
３６　　下端
３７　　角度
３８　　滑り止めゴム
３９　　基部
４０　　腕
４１　　連結材
４２　　補強ステー
４３　　先端部
４４　　ばね
４５　　リンク
４６　　ピン
４７　　ばね
４８　　矢印
４９　　他端
５０　　可動爪
５１　　ガイド部
５２　　フォーク
５３　　結合部
５４　　矢印
５８　　ペンライト
６１　　操作紐
６２、６３　　操作部
６５　　操作紐
６６、６７　　操作部
６８　　ガイド孔
７１　　回動部材
７２　　固定部材
７３　　ばね
７４　　矢印
７５　　スリーブ
８０　　結合部材
８１、８２　　嵌合部材
８３　　連結部
８４　　蝶ねじ
【図１】
0003099066.tif 000003
【図２】
0003099066.tif 000004
【図３】
0003099066.tif 000005
【図４】
0003099066.tif 000006
【図５】
0003099066.tif 000007
【図６】
0003099066.tif 000008
【図７】
0003099066.tif 000009
【図８】
0003099066.tif 000010